【事件の表示】
　特願２００４−３６４３７９「撮像装置および撮像システム」拒絶査定不服審判事件〔平成１８年　６月２９日出願公開、特開２００６−１７４１２８〕について、次のとおり審決する。
【結　論】
　本件審判の請求は、成り立たない。
【理　由】
第１　経緯  
１．手続　
　本願は、平成１６年１２月１６日の出願であって、手続の概要は以下のとおりである。
　
　手続補正　　　　　　　　　　：平成１８年　９月２９日
　拒絶理由通知　　　　　　　　：平成２１年　４月１７日（起案日）
　手続補正　　　　　　　　　　：平成２１年　６月１７日
　拒絶査定　　　　　　　　　　：平成２１年　８月２６日（起案日）
　拒絶査定不服審判請求　　　　：平成２１年１１月２６日
　手続補正　　　　　　　　　　：平成２１年１１月２６日
　前置審査報告　　　　　　　　：平成２２年　１月１２日
　審尋　　　　　　　　　　　　：平成２３年　６月２２日（起案日）
　回答書（なし）
　
２．査定
　原審での査定の理由は、概略、以下のとおりである。
　本願の請求項１ないし３に係る発明（平成２１年　６月１７日付け手続補正書による）は、その出願前に日本国内又は外国において、頒布された下記の刊行物に記載された発明であるから、特許法第２９条第１項第３号に該当し、特許を受けることができない。
　
　　　　　記　
刊行物１：特開２００１−４５４０７号公報
　
第２　補正却下の決定 
　平成２１年１１月２６日付けの手続補正（以下、「本件補正」という。）について次のとおり決定する。 
　　
《結論》
　平成２１年１１月２６日付けの手続補正を却下する。
 　
《理由》 
１．本件補正の内容
　本件補正は、本件補正前、平成２１年６月１７日付け手続補正書により補正された特許請求の範囲についてする補正であり、補正前の請求項１ないし１５を、補正後の請求項１ないし１５とするものである。
　
特許請求の範囲（補正前）
　　【請求項１】
　被写体の光学的な画像信号を出力する撮像装置であって、
　前記被写体の光学的な像を撮像して、電気的な画像信号に変換する撮像素子と、
　撮影モードの選択時に、前記撮像素子より得られる画像信号に基づく撮影画像から任意に選択された一部の領域に演算処理を施して拡大画像を生成する電子ズーム手段と、
　拡大すべき前記一部の領域の範囲を示す電子ズーム枠を設定する電子ズーム枠設定手段と、
　表示すべき表示画像を生成して出力する表示制御手段と、
　前記表示制御手段の出力に基づいて前記表示画像を表示する表示手段とを備え、
　前記表示画像は、前記撮影画像と、前記電子ズーム手段によって生成された前記拡大画像と、前記電子ズーム枠設定手段によって設定された前記電子ズーム枠とを含み、
　前記撮影モードの選択時であってレリーズボタンの操作前に、前記表示手段は、前記撮影画像および前記拡大画像をそれぞれ異なる表示領域に配置して同時に表示可能であることを特徴とする、撮像装置。
　　【請求項２】
　さらに、前記電子ズーム枠に関する情報を受け付ける電子ズーム枠情報受付手段を備え、
　前記電子ズーム枠設定手段は、前記電子ズーム枠情報受付手段が受け付けた情報に基づいて前記電子ズーム枠を設定することを特徴とする、請求項１に記載の撮像装置。
　　【請求項３】
　前記電子ズーム枠に関する情報は、前記電子ズーム枠のアスペクト比、大きさ、および配置のうち少なくとも１つに関する情報であることを特徴とする、請求項２に記載の撮像装置。
　　【請求項４】
　さらに、前記被写体の光学的な像を変倍する光学ズーム手段と、
　前記光学ズーム手段の変倍率を指示するための情報の入力を受け付ける倍率受付手段とを備え、
　前記倍率受付手段と、前記電子ズーム枠情報受付手段とは、同一の入力手段であり、
　前記電子ズーム枠情報受付手段は、前記電子ズーム枠の大きさに関する情報を受け付けることを特徴とする、請求項２に記載の撮像装置。
　　【請求項５】
　さらに、前記被写体の光学的な像を変倍する光学ズーム手段を備え、
　前記撮影画像は、前記光学ズーム手段がほぼ最短焦点距離状態にある際に得られる画像であることを特徴とする、請求項１に記載の撮像装置。
　　【請求項６】
　前記表示画像は、前記撮影画像および前記拡大画像のズームに関する情報を含むことを特徴とする、請求項１に記載の撮像装置。
　　【請求項７】
　前記表示画像は、前記拡大画像の画素数に関する情報を含むことを特徴とする、請求項１に記載の撮像装置。
　　【請求項８】
　さらに、前記撮影画像を記録する記録手段を備え、
　前記記録手段が前記拡大画像を記録することを特徴とする、請求項１に記載の撮像装置。
　　【請求項９】
　さらに、前記電子ズーム枠情報受付手段が受け付けた前記電子ズーム枠に関する情報を確定するための確定指示を受け付ける確定指示受付手段を備えることを特徴とする、請求項２に記載の撮像装置。
　　【請求項１０】
　さらに、前記確定指示受付手段が前記確定指示を受け付けると、前記撮影画像に対する前記拡大画像の倍率を算出する倍率算出手段を備える、請求項９に記載の撮像装置。
　　【請求項１１】
　さらに、前記確定指示受付手段が前記確定指示を受け付けると、前記倍率算出手段によって算出された倍率に対応するように前記像を光学的に変倍する光学ズーム手段を備える、請求項１０に記載の撮像装置。
　　【請求項１２】
　前記表示画像は、前記倍率に関する情報を含むことを特徴とする、請求項１１に記載の撮像装置。
　　【請求項１３】
　前記表示制御手段は、前記確定指示受付手段が前記確定指示を受け付けると、前記拡大画像を更新せずに参照画像として出力することを特徴とする、請求項１１に記載の撮像装置。
　　【請求項１４】
　前記表示制御手段は、前記確定指示受付手段が前記確定指示を受け付けると、前記撮影画像を更新せずに参照画像として出力し、前記拡大画像に替えて、前記画像信号に基づく撮影画像を出力することを特徴とする、請求項１１に記載の撮像装置。
　　【請求項１５】
　さらに、前記撮像装置の移動に伴う回転角を算出する回転角算出手段を備え、
　前記表示制御手段は、前記参照画像における前記撮影画像の範囲を示す光学ズーム枠を前記表示画像と共に出力し、前記回転角算出手段によって算出された前記回転角に応じて前記光学ズーム枠を移動させ、
　前記表示手段は、前記表示制御手段から出力される前記光学ズーム枠を前記表示画像と共に表示することを特徴とする、請求項１４に記載の撮像装置。
  　
特許請求の範囲（補正後）
　　【請求項１】
　被写体の光学的な画像信号を出力する撮像装置であって、
　前記被写体の光学的な像を撮像して、電気的な画像信号に変換する撮像素子と、
　撮影モードの選択時に、前記撮像素子より得られる画像信号に基づく撮影画像から選択された任意の点を中心とする一部の領域に演算処理を施して拡大画像を生成する電子ズーム手段と、
　拡大すべき前記一部の領域の範囲を示す電子ズーム枠を設定する電子ズーム枠設定手段と、
　表示すべき表示画像を生成して出力する表示制御手段と、
　前記表示制御手段の出力に基づいて前記表示画像を表示する表示手段とを備え、
　前記表示画像は、前記撮影画像と、前記電子ズーム手段によって生成された前記拡大画像と、前記電子ズーム枠設定手段によって設定された前記電子ズーム枠とを含み、
　前記撮影モードの選択時であってレリーズボタンの操作前に、前記表示手段は、前記撮影画像および前記拡大画像をそれぞれ異なる表示領域に配置して同時に表示可能であることを特徴とする、撮像装置。
　　【請求項２】
　さらに、前記電子ズーム枠に関する情報を受け付ける電子ズーム枠情報受付手段を備え、
　前記電子ズーム枠設定手段は、前記電子ズーム枠情報受付手段が受け付けた情報に基づいて前記電子ズーム枠を設定することを特徴とする、請求項１に記載の撮像装置。
　　【請求項３】
　前記電子ズーム枠に関する情報は、前記電子ズーム枠のアスペクト比、大きさ、および配置のうち少なくとも１つに関する情報であることを特徴とする、請求項２に記載の撮像装置。
　　【請求項４】
　さらに、前記被写体の光学的な像を変倍する光学ズーム手段と、
　前記光学ズーム手段の変倍率を指示するための情報の入力を受け付ける倍率受付手段とを備え、
　前記倍率受付手段と、前記電子ズーム枠情報受付手段とは、同一の入力手段であり、
　前記電子ズーム枠情報受付手段は、前記電子ズーム枠の大きさに関する情報を受け付けることを特徴とする、請求項２に記載の撮像装置。
　　【請求項５】
　さらに、前記被写体の光学的な像を変倍する光学ズーム手段を備え、
　前記撮影画像は、前記光学ズーム手段がほぼ最短焦点距離状態にある際に得られる画像であることを特徴とする、請求項１に記載の撮像装置。
　　【請求項６】
　前記表示画像は、前記撮影画像および前記拡大画像のズームに関する情報を含むことを特徴とする、請求項１に記載の撮像装置。
　　【請求項７】
　前記表示画像は、前記拡大画像の画素数に関する情報を含むことを特徴とする、請求項１に記載の撮像装置。
　　【請求項８】
　さらに、前記撮影画像を記録する記録手段を備え、
　前記記録手段が前記拡大画像を記録することを特徴とする、請求項１に記載の撮像装置。
　　【請求項９】
　さらに、前記電子ズーム枠情報受付手段が受け付けた前記電子ズーム枠に関する情報を確定するための確定指示を受け付ける確定指示受付手段を備えることを特徴とする、請求項２に記載の撮像装置。
　　【請求項１０】
　さらに、前記確定指示受付手段が前記確定指示を受け付けると、前記撮影画像に対する前記拡大画像の倍率を算出する倍率算出手段を備える、請求項９に記載の撮像装置。
　　【請求項１１】
　さらに、前記確定指示受付手段が前記確定指示を受け付けると、前記倍率算出手段によって算出された倍率に対応するように前記像を光学的に変倍する光学ズーム手段を備える、請求項１０に記載の撮像装置。
　　【請求項１２】
　前記表示画像は、前記倍率に関する情報を含むことを特徴とする、請求項１１に記載の撮像装置。
　　【請求項１３】
　前記表示制御手段は、前記確定指示受付手段が前記確定指示を受け付けると、前記拡大画像を更新せずに参照画像として出力することを特徴とする、請求項１１に記載の撮像装置。
　　【請求項１４】
　前記表示制御手段は、前記確定指示受付手段が前記確定指示を受け付けると、前記撮影画像を更新せずに参照画像として出力し、前記拡大画像に替えて、前記画像信号に基づく撮影画像を出力することを特徴とする、請求項１１に記載の撮像装置。
　　【請求項１５】
　さらに、前記撮像装置の移動に伴う回転角を算出する回転角算出手段を備え、
　前記表示制御手段は、前記参照画像における前記撮影画像の範囲を示す光学ズーム枠を前記表示画像と共に出力し、前記回転角算出手段によって算出された前記回転角に応じて前記光学ズーム枠を移動させ、
　前記表示手段は、前記表示制御手段から出力される前記光学ズーム枠を前記表示画像と共に表示することを特徴とする、請求項１４に記載の撮像装置。
　
　上記補正は、請求項１の「撮影画像から任意に選択された一部の領域に演算処理を施して」（補正前）の記載を「撮影画像から選択された任意の点を中心とする一部の領域に演算処理を施して」（補正後）とする補正である。
　
２．補正の適合性
（１）補正の範囲（第１７条の２第３項）
　本件補正は、願書に最初に添付した明細書又は図面の記載に基づくものであるから、願書に最初に添付した明細書又は図面に記載した事項の範囲内においてする補正である。
　
（２）補正の目的（第１７条の２第４項第１号〜第４号）
　本件補正は「演算処理を施」す「一部の領域」が、「撮影画像から任意に選択された」ものであると規定されていたものを、「撮影画像から選択された任意の点を中心とする（一部の領域）」となるように規定する補正である。
　すなわち、補正前では、撮影画像から選択する任意の領域が、任意に選択されていればどのようなものでもよいのに対し、補正後では、撮影画像から選択する任意の領域が、撮影画像から任意の点を選択し、上記選択した点を中心とした領域であると限定したものであるということができる。
　以上のことから、本件補正は、特許請求の範囲の減縮に該当する補正事項であると認められる。
　
（３）独立特許要件（第１７条の２第５項）
　本件補正は、上記のとおり、特許請求の範囲の減縮を目的として含むものである。そこで、本件補正後の請求項１に係る発明が、独立して特許を受けることができる発明であるか検討する。
　
ア．補正後の本願発明
 　
　本件補正後の請求項１に記載される発明（以下「本件補正発明」という）は、以下のとおりのものである。
　
　　【請求項１】
　被写体の光学的な画像信号を出力する撮像装置であって、
　前記被写体の光学的な像を撮像して、電気的な画像信号に変換する撮像素子と、
　撮影モードの選択時に、前記撮像素子より得られる画像信号に基づく撮影画像から選択された任意の点を中心とする一部の領域に演算処理を施して拡大画像を生成する電子ズーム手段と、
　拡大すべき前記一部の領域の範囲を示す電子ズーム枠を設定する電子ズーム枠設定手段と、
　表示すべき表示画像を生成して出力する表示制御手段と、
　前記表示制御手段の出力に基づいて前記表示画像を表示する表示手段とを備え、
　前記表示画像は、前記撮影画像と、前記電子ズーム手段によって生成された前記拡大画像と、前記電子ズーム枠設定手段によって設定された前記電子ズーム枠とを含み、
　前記撮影モードの選択時であってレリーズボタンの操作前に、前記表示手段は、前記撮影画像および前記拡大画像をそれぞれ異なる表示領域に配置して同時に表示可能であることを特徴とする、撮像装置。
　
イ．刊行物１の記載
　
　原査定の拒絶の理由で引用された特開２００１−４５４０７号公報（以下「刊行物１」という）には、図面とともに、以下の事項が記載されている。
　
（ア）ところで、画像撮影装置において、撮影画像の解像度（撮影によって得られる画像データの画素数）は撮影画像の画質に関係する重要な要素であり、年々高解像度化がなされているが、これに伴い、表示デバイスに表示される撮影画像や再生画像が拡大表示されている状態で、元の画像のうちのどの部分が拡大表示されているのかが分りにくい、という問題がある。特に、元の画像が、同じような物体が連続して並んでいるシーンを撮影することで得られた画像である等の場合には、どの部分が拡大表示されているのかを判断することは困難であった。（段落０００４）
（イ）本発明は上記事実を考慮して成されたもので、画像を部分的に表示する場合に画像全体のうち表示している範囲を容易に認識させることが可能な画像表示装置及び画像撮影装置を得ることが目的である。（段落０００６）
（ウ）図２にはデジタルスチルカメラ１０の電気系の構成が示されている。レンズ１４は、詳しくはオートフォーカス（ＡＦ）機構を備えたズームレンズ（焦点距離可変レンズ）であり、レンズ１４のＡＦ機構及びズーム機構は駆動回路３６によって駆動される。なおズームレンズに代えて、ＡＦ機構のみを備えた焦点距離固定レンズをレンズ１４として用いてもよい。（段落００２７）
　本体１２内部のレンズ１４の焦点位置に相当する位置には、エリアＣＣＤセンサ等で構成される撮像デバイス３８が配置されており、被写体を反射してレンズ１４に入射された光は撮像デバイス３８の受光面に結像される。撮像デバイス３８は、駆動回路３６が内蔵しているタイミング発生回路（図示省略）によって発生されたタイミング信号に同期したタイミングで駆動され、画像信号（受光面上にマトリクス状に配列された多数個の光電変換セルの各々における受光量を表す信号）を出力する。（段落００２８）
（エ）撮像デバイス３８の信号出力端には、アナログ信号処理部４２、Ａ／Ｄ変換器４４、デジタル信号処理部４６、メモリ４８が順に接続されている。アナログ信号処理部４２は、撮像デバイス３８から出力された画像信号を増幅すると共に、増幅した画像信号に対してホワイトバランス等の補正を行う。アナログ信号処理部４２から出力された画像信号は、Ａ／Ｄ変換器４４によってデジタルの画像データに変換されてデジタル信号処理部４６へ入力される。デジタル信号処理部４６では、入力された画像データに対して色補正・γ補正・Ｙ／Ｃ変換等の各種処理を行う。デジタル信号処理部４６から出力された画像データは、ＲＡＭ等で構成されたメモリ４８に一時記憶される。（段落００３０）
（オ）また、メモリ４８にはディスプレイ２６及び圧縮伸張部５０が各々接続されている。ディスプレイ２６に画像を表示する場合、ＣＰＵ５４は、メモリ４８に一時記憶されている画像データに対して後述する画像表示処理を行った後にディスプレイ２６へ転送する。これにより、メモリ４８に一時記憶されている画像データが表す画像がディスプレイ２６に表示される。（段落００３３）
　また、シャッターボタン２２が操作されてシャッタースイッチ５６がオンされた等により、スロット２４に装填されたメモリカードへの画像データの格納が指示された場合、ＣＰＵ５４はメモリ４８に一時記憶されている画像データを読み出して圧縮伸張部５０へ転送する。これにより、画像データは圧縮伸張部５０で圧縮された後にメモリカードに格納される。なお、撮影モード等によっては画像データが圧縮されることなくメモリカードに格納される場合もある。（段落００３４）
（カ）次に本実施形態の作用として、画像撮影モードでディスプレイ２６に画像を表示することが指示された場合や、メモリカードに格納されている画像データが表す画像をディスプレイ２６に表示する画像再生モードが選択された場合にＣＰＵ５４で実行される画像表示処理について、図３のフローチャートを参照して説明する。なお、この画像表示処理は、撮像デバイス３８による撮像によって得られた画像データ、又はメモリカードから読み出された画像データがメモリ４８に記憶されている状態で行われる。（段落００３６）
（キ）また、画像撮影モードにおいて、レンズ１４の光学倍率が最大の状態で、操作スイッチ３２を介してズーム倍率の増大が更に指示された場合には、ディスプレイ２６に画像を表示している状態であれば、電子変倍処理による画像の拡大表示を行う必要があると判断し、ステップ１００の判定が肯定される。なお、画像撮影モードにおける電子変倍処理では、拡大表示範囲の中心位置は元の画像の中心位置と常に一致される。（段落００４１）
　一方、画像再生モードでは、操作スイッチ３２は画像表示倍率の切替え及び画像表示範囲の移動を指示するために用いられる。すなわち、単に上側／下側スイッチがオンオフされた場合は画像表示倍率の変更が指示されたことを意味し、画像表示倍率を増大させるときには上側スイッチがオンされ、画像表示倍率を減少させるときには下側スイッチがオンされる。また、図示しないボタンが押圧されている状態で上側／下側／右側／左側の何れかのスイッチがオンオフされた場合は画像表示範囲の変更が指示されたことを意味し、前記ボタンが押圧されている状態で画像表示範囲を移動させたい方向に対応するスイッチがオンされる。（段落００４２）
　画像再生モードにおいて、画像表示倍率の初期値は、画像データが表す画像全体がディスプレイ２６の全面に表示される倍率（すなわち最小倍率）とされているが、操作スイッチ３２を介して画像表示倍率の切替え（すなわち画像の拡大表示）が指示された場合、及び操作スイッチ３２を介して拡大表示範囲の移動が指示された場合には、電子変倍処理による画像の拡大表示を行う必要があると判断し、ステップ１００の判定が肯定される。なお、画像再生モードにおける電子変倍処理では、拡大表示範囲の中心位置は拡大表示範囲の移動指示に応じて変更設定される。（段落００４３）
（ク）上記のようにしてステップ１００の判定が肯定されるとステップ１１０へ移行し、操作スイッチ３２が操作されることで設定又は変更された拡大表示パラメータ（画像の拡大率及び拡大表示範囲の中心位置）を取り込む。ステップ１１２では取り込んだ拡大表示パラメータに基づいて、メモリ４８に記憶されている画像データが表す画像上で、拡大表示範囲の外縁に相当する位置を演算する。ステップ１１４では、ステップ１１２の演算結果に基づいて、メモリ４８に記憶されている画像データから拡大表示範囲内に相当するデータ（拡大画像データ）を抽出する。（段落００４４）
　例えば、メモリ４８に記憶されている画像データが表す画像の範囲（外縁）が図４（Ａ）に示す白抜きの矩形によって表される範囲であり、拡大表示範囲が図４（Ｂ）にハッチングで示す矩形によって表される範囲である場合、前記ハッチングで示す矩形によって表される範囲内のデータが拡大画像データとして抽出される。なお、上記のステップ１１２、１１４のように操作スイッチ３２の操作に応じて拡大表示範囲を判断し、拡大表示範囲内に相当する拡大画像データを抽出することは、請求項５に記載の表示制御手段に対応しており、操作スイッチ３２は請求項５に記載の指示手段に対応している。（段落００４５）
　ステップ１１６では、抽出した拡大画像データの画素密度を拡大率及びディスプレイ２６の画素数に応じて変換する（抽出した拡大画像データが表す画像の縦横の画素数がディスプレイ２６の縦横の画素数に一致するように変換する）。そしてステップ１１８では、画素密度変換後の拡大画像データを表示用画像データ記憶領域に展開する。（段落００４６）
　次のステップ１２０では、メモリ４８に記憶されている元の画像データが表す画像に拡大表示範囲内と範囲外との境界（拡大表示範囲の外縁）を表す枠が合成されるように、前記画像データを変更する。ステップ１２２では枠を合成した画像データが表す画像のフレームサイズが所定のサイズ（例えば元の画像の数分の１程度）に縮小されるように、前記画像データの画素密度を所定の画素密度に変換する。そしてステップ１２４では、所定の画素密度に変換した画像データ（縮小画像データ）を、表示用画像データ記憶領域のうち、ディスプレイ２６の表示面の右上隅に相当する領域に展開する。（段落００４７）
　上記のようにして表示用画像データ記憶領域に展開された画像データが、次のステップ１２６でディスプレイ２６に転送されることにより、ディスプレイ２６には、例として図４（Ｂ）にも示すように、操作スイッチ３２の操作に応じた倍率で拡大された拡大画像８０（本発明の主画像に相当）が全面に表示されると共に、表示面の右上隅には、画像全体を表しかつ拡大画像８０として表示している範囲を明示する枠８４が付加された画像８２（以下、ナビゲーション画像８２と称する）が、拡大画像８０よりも小さい表示倍率で表示されることになる。（段落００４８）
（ケ）ユーザは、ディスプレイ２６に表示されたナビゲーション画像８２を参照することで、画像全体がどのような画像かを容易に認識できると共に、拡大画像８０として表示されている範囲を視覚的に容易に認識することができ、画像撮影モードであれば、例えば撮影する範囲が適正か否かを容易に判断することができ、画像再生モードであれば、例えば拡大画像８０を参照することで画像の細部を確認或いは鑑賞するに際し、ナビゲーション画像８２を参照することで拡大画像８０として表示すべき範囲を容易に判断することができる。（段落００５０）
（コ）また、上記のステップ１１０〜１２６は、ステップ１２８の判定が否定されかつステップ１００の判定が肯定されている間は繰り返し実行されるので、ユーザが操作スイッチ３２を再度操作することで、ズーム倍率の変更、又は画像表示倍率の切替え、又は拡大表示範囲の移動が指示された場合には、拡大表示範囲が変更されると共に、該拡大表示範囲の変更に伴って枠８４の大きさやナビゲーション画像８２上での位置が変更されることになる。（段落００５１）
（サ）なお、上記の実施形態では、電子変倍処理による画像の拡大表示を行っている間、拡大画像８０を常に表示すると共に、拡大画像８０の右上隅に拡大画像８０に重ねてナビゲーション画像８２を常に表示する場合を説明したが、これに代えて、例えばメニュースイッチ２８や操作スイッチ３２が操作されることで表示モードの切替えが指示される毎に、例えば図５に示すように、拡大画像８０のみをディスプレイ２６に表示している状態、ナビゲーション画像８２のみをディスプレイ２６に表示している状態、拡大画像８０及びナビゲーション画像８２を各々表示している状態に順次切替えるようにしてもよい。（段落００５２）
　これにより、拡大画像８０として表示される範囲のうち、ナビゲーション画像８２が重なっている部分を確認したり、ナビゲーション画像８２を参照して拡大表示範囲の位置や大きさを詳細に確認したりすることを容易に行うことができる。また、表示モードの切替えが指示される毎に、例えば図６に示すように、上記３種類の状態に、例えばストロボ発光の有無・露出補正の有無・ＡＥモード等のモードの切替えが可能なセットアップ画面６６を表示している状態を加えた４種類の状態に順次切替えるようにしてもよい。（段落００５３）
　また、上記のように表示モード切替指示に応じてディスプレイ２６に表示する画像を切替えることに代えて、例として図７に示すように、拡大画像８０とナビゲーション画像８２が重ならないように、ディスプレイ２６の表示面に各画像を各々表示するようにしてもよい。なお、拡大画像８０やナビゲーション画像８２とディスプレイ２６の表示面のアスペクト比（縦横比）が同一である等の場合、ディスプレイ２６の表示面内に画像が表示されない領域が生ずる。このため、図７に示す例では前記領域に撮影情報やセットアップ情報を表示することで、ディスプレイ２６の表示面を有効利用している。（段落００５４）
  　
ウ．刊行物１に記載された発明 
（ア）「デジタルスチルカメラ」について
　上記刊行物１の（ウ）、（エ）、（オ）の記載によれば、刊行物１には、「被写体を反射してレンズ１４に入射された光は撮像デバイス３８の受光面に結像され、画像信号（受光面上にマトリクス状に配列された多数個の光電変換セルの各々における受光量を表す信号）を出力する」撮像デバイス、（撮像デバイスの信号出力端に接続された）信号処理部（アナログ信号処理部、Ａ／Ｄ変換器、デジタル信号処理部、メモリ等）、「メモリ４８に一時記憶されている画像データに対して・・画像表示処理を行った後に」画像を表示するディスプレイ、「メモリに一時記憶されている画像データを読み出して・・・格納」するメモリカード等を有する、デジタルスチルカメラが記載されている。
　
（イ）「撮像デバイス」について
　上記刊行物１の（ウ）の記載によれば、被写体を反射してレンズ１４に入射された光を受光面に結像して、画像信号を出力する撮像デバイス３８が記載されている
　
（ウ）「電子変倍処理による画像の拡大表示」について
　上記刊行物１の（キ）、（ク）の記載によれば、「画像撮影モードにおいて、・・・電子変倍処理による画像の拡大表示を行う必要があると判断し、ステップ１００の判定が肯定され・・なお、画像撮影モードにおける電子変倍処理では、拡大表示範囲の中心位置は元の画像の中心位置と常に一致される。・・・ステップ１００の判定が肯定されるとステップ１１０へ移行し、・・・設定又は変更された拡大表示パラメータ（画像の拡大率及び拡大表示範囲の中心位置）を取り込む。ステップ１１２では取り込んだ拡大表示パラメータに基づいて、メモリ４８に記憶されている画像データが表す画像上で、拡大表示範囲の外縁に相当する位置を演算する。ステップ１１４では、ステップ１１２の演算結果に基づいて、メモリ４８に記憶されている画像データから拡大表示範囲内に相当するデータ（拡大画像データ）を抽出・・・ステップ１１６では、抽出した拡大画像データの画素密度を拡大率及びディスプレイ２６の画素数に応じて変換する（抽出した拡大画像データが表す画像の縦横の画素数がディスプレイ２６の縦横の画素数に一致するように変換する）。そしてステップ１１８では、画素密度変換後の拡大画像データを表示用画像データ記憶領域に展開する。」とあるから、「画像撮影モードのときに、拡大表示範囲の中心位置は元の画像の中心位置と一致した状態で、拡大表示範囲の外縁に相当する位置を演算し、メモリ４８に記憶されている画像データから拡大表示範囲内に相当するデータ（拡大画像データ）を抽出し、抽出した拡大画像データの画素密度を拡大率及びディスプレイ２６の画素数に応じて変換し、画素密度変換後の拡大画像データを表示用画像データ記憶領域に展開する」手段（以下、「電子変倍処理手段」という）が記載されている。
　
（エ）「枠の合成」について
　上記刊行物１の（ク）の記載によれば、「メモリ４８に記憶されている元の画像データが表す画像に拡大表示範囲内と範囲外との境界（拡大表示範囲の外縁）を表す枠が合成されるように、前記画像データを変更する。」とあるから、「元の画像データが表す画像に拡大表示範囲内と範囲外との境界（拡大表示範囲の外縁）を表す枠が合成されるように、前記画像データを変更」する手段が記載されているということができる。
　
（オ）「画像データの表示」について
　上記刊行物１の（ク）の記載によれば、「表示用画像データ記憶領域に展開された画像データが、次のステップ１２６でディスプレイ２６に転送されることにより、ディスプレイ２６には、例として図４（Ｂ）にも示すように、操作スイッチ３２の操作に応じた倍率で拡大された拡大画像８０（本発明の主画像に相当）が全面に表示されると共に、表示面の右上隅には、画像全体を表しかつ拡大画像８０として表示している範囲を明示する枠８４が付加された画像８２（以下、ナビゲーション画像８２と称する）が、拡大画像８０よりも小さい表示倍率で表示されることになる。」とあるから、「表示用画像データ記憶領域に展開された画像データがディスプレイに表示されるように転送する手段」が記載されているということができる。
　
（カ）「ディスプレイ」について
　上記（オ）で検討した刊行物１の（ク）の記載によれば、「表示用画像データ記憶領域に展開された画像データがディスプレイに表示されるように転送する手段」が記載されており、言い換えると「転送する手段により転送された画像データを表示するディスプレイ」が記載されているということができる。
　
（キ）「ディスプレイに表示される画像データ」について
　上記刊行物１の（ク）の記載によれば、「表示用画像データ記憶領域に展開された画像データが、次のステップ１２６でディスプレイ２６に転送されることにより、ディスプレイ２６には、例として図４（Ｂ）にも示すように、操作スイッチ３２の操作に応じた倍率で拡大された拡大画像８０（本発明の主画像に相当）が全面に表示されると共に、表示面の右上隅には、画像全体を表しかつ拡大画像８０として表示している範囲を明示する枠８４が付加された画像８２（以下、ナビゲーション画像８２と称する）が、拡大画像８０よりも小さい表示倍率で表示されることになる。」とあるから、表示される画像は、
（ａ）拡大された拡大画像、
（ｂ）画像全体
（ｃ）拡大画像として表示している範囲を明示する枠
のそれぞれが表示され、これら（（ａ）ないし（ｃ））の関係は、
　ディスプレイの全面に拡大画像が表示され、表示面の右上隅に画像全体が表示されるというものである。
　さらに、他の実施例として、上記刊行物１の（サ）には「上記の実施形態では、電子変倍処理による画像の拡大表示を行っている間、拡大画像８０を常に表示すると共に、拡大画像８０の右上隅に拡大画像８０に重ねてナビゲーション画像８２を常に表示する場合を説明したが、これに代えて、例えばメニュースイッチ２８や操作スイッチ３２が操作されることで表示モードの切替えが指示される毎に、例えば図５に示すように、拡大画像８０のみをディスプレイ２６に表示している状態、ナビゲーション画像８２のみをディスプレイ２６に表示している状態、拡大画像８０及びナビゲーション画像８２を各々表示している状態に順次切替えるようにしてもよい。・・・また、上記のように表示モード切替指示に応じてディスプレイ２６に表示する画像を切替えることに代えて、例として図７に示すように、拡大画像８０とナビゲーション画像８２が重ならないように、ディスプレイ２６の表示面に各画像を各々表示するようにしてもよい。」と記載されているから、表示される画像の実施例として、上記刊行物１の（ク）の記載に代えて、「拡大画像とナビゲーション画像（画像全体を表しかつ拡大画像８０として表示している範囲を明示する枠８４が付加された画像）が重ならないように、ディスプレイ６の表示面に各画像を各々表示する」ことも記載されている。
　
（ク）まとめ
　上記（ア）〜（キ）によれば、刊行物１に記載された発明（以下、「引用発明」という。）として、以下のとおりのものを認定することができる。
　
　被写体を反射してレンズ１４に入射された光は撮像デバイス３８の受光面に結像され、画像信号（受光面上にマトリクス状に配列された多数個の光電変換セルの各々における受光量を表す信号）を出力する」撮像デバイス、（撮像デバイスの信号出力端に接続された）信号処理部（アナログ信号処理部、Ａ／Ｄ変換器、デジタル信号処理部、メモリ等）、「メモリ４８に一時記憶されている画像データに対して・・画像表示処理を行った後に」画像を表示するディスプレイ、「メモリに一時記憶されている画像データを読み出して・・・格納」するメモリカード等を有する、デジタルスチルカメラであって、
被写体を反射してレンズ１４に入射された光を受光面に結像して、画像信号を出力する撮像デバイスと、
画像撮影モードのときに、拡大表示範囲の中心位置は元の画像の中心位置と一致した状態で、拡大表示範囲の外縁に相当する位置を演算し、メモリ４８に記憶されている画像データから拡大表示範囲内に相当するデータ（拡大画像データ）を抽出し、抽出した拡大画像データの画素密度を拡大率及びディスプレイ２６の画素数に応じて変換し、画素密度変換後の拡大画像データを表示用画像データ記憶領域に展開する電子変倍処理手段と、
元の画像データが表す画像に拡大表示範囲内と範囲外との境界（拡大表示範囲の外縁）を表す枠が合成されるように、前記画像データを変更する手段と、
表示用画像データ記憶領域に展開された画像データがディスプレイに表示されるように転送する手段と、
転送する手段により転送された画像データを表示するディスプレイと、
表示される画像は、
（ａ）拡大された拡大画像、
（ｂ）画像全体
（ｃ）拡大画像として表示している範囲を明示する枠
のそれぞれが表示され、これら（（ａ）ないし（ｃ））の関係は
拡大画像とナビゲーション画像（画像全体を表しかつ拡大画像８０として表示している範囲を明示する枠８４が付加された画像）が重ならないように、ディスプレイ６の表示面に各画像を各々表示するものである
デジタルスチルカメラ。
　
エ．対比
　本件補正発明と引用発明とを対比する。
　
（ア）「被写体の光学的な画像信号を出力する撮像装置」について
　本件補正発明の「被写体の光学的な画像信号を出力する撮像装置」について、発明の詳細な説明を参酌すると、「デジタルスチルカメラ等の撮像装置は、ＣＣＤなどの撮像素子を利用して、被写体の光学的な像を電気的な画像信号に変換する。」（段落０００４）、「撮影レンズ群１を介して受光した被写体の像を電子信号に変換し、画像信号として出力する。」（段落００４６）、「被写体の像が撮像素子２に露光されて電気信号に変換され、画像信号として出力される。」（段落００８６）、等の記載がある。このことから、本件補正発明の「撮像装置」は少なくともデジタルスチルカメラ等を含むものであって、「被写体の光学的な画像信号を出力する」とは「（撮像素子が）受光した被写体の像を電気信号に変換し、画像信号として出力する」ことをいうものであると理解できる。
　これに対して、引用発明の「デジタルスチルカメラ」は、撮像装置ということができ、また、「被写体からの光を撮像デバイスにより画像信号として出力し、（信号処理を行った後）画像データとして、ディスプレイやメモリカードに出力している」から、「被写体の光学的な画像信号を出力」しているということができる。
　したがって、引用発明は「被写体の光学的な画像信号を出力する撮像装置」であるということができる。
　
（イ）「前記被写体の光学的な像を撮像して、電気的な画像信号に変換する撮像素子」について
　引用発明の「撮像デバイス」は、「被写体を反射してレンズ１４に入射された光は撮像デバイス３８の受光面に結像され、画像信号（受光面上にマトリクス状に配列された多数個の光電変換セルの各々における受光量を表す信号）を出力」している。
　上記被写体を反射して入射された光を結像し、光電変換セルにて受光量を表す信号として出力することを、「撮像して、電気的な画像信号に変換する」ということができ、また「撮像デバイス」は「撮像素子」と言い換えることが可能であるから、引用発明の「「撮像デバイス」は、「被写体を反射してレンズ１４に入射された光は撮像デバイス３８の受光面に結像され、画像信号（受光面上にマトリクス状に配列された多数個の光電変換セルの各々における受光量を表す信号）を出力」」は「撮像素子は、被写体からの光を撮像して、電気的な画像信号に変換し出力する」と言い換えることができ、引用発明は「前記被写体の光学的な像を撮像して、電気的な画像信号に変換する撮像素子」を有しているということができる。
　
（ウ）「撮影モードの選択時に、前記撮像素子より得られる画像信号に基づく撮影画像から選択された任意の点を中心とする一部の領域に演算処理を施して拡大画像を生成する電子ズーム手段」について
　引用発明は「画像撮影モードのときに、拡大表示範囲の中心位置は元の画像の中心位置と一致した状態で、拡大表示範囲の外縁に相当する位置を演算し、メモリ４８に記憶されている画像データから拡大表示範囲内に相当するデータ（拡大画像データ）を抽出し、抽出した拡大画像データの画素密度を拡大率及びディスプレイ２６の画素数に応じて変換し、画素密度変換後の拡大画像データを表示用画像データ記憶領域に展開する電子変倍処理手段」を有している。
　引用発明の「メモリ４８に記憶されている画像データ」は、刊行物１の（エ）の記載によれば、「撮像デバイス３８の信号出力端には、アナログ信号処理部４２、Ａ／Ｄ変換器４４、デジタル信号処理部４６、メモリ４８が順に接続されている。アナログ信号処理部４２は、撮像デバイス３８から出力された画像信号を増幅すると共に、増幅した画像信号に対してホワイトバランス等の補正を行う。アナログ信号処理部４２から出力された画像信号は、Ａ／Ｄ変換器４４によってデジタルの画像データに変換されてデジタル信号処理部４６へ入力される。デジタル信号処理部４６では、入力された画像データに対して色補正・γ補正・Ｙ／Ｃ変換等の各種処理を行う。デジタル信号処理部４６から出力された画像データは、ＲＡＭ等で構成されたメモリ４８に一時記憶される。」とあるから、「撮像デバイスから出力され、信号処理をした後の画像データ」すなわち、撮像素子より得られる画像信号のデータであるということができる。
　そして、引用発明は、「メモリ４８に記憶されている画像データから拡大表示範囲内に相当するデータ（拡大画像データ）を抽出し、抽出した拡大画像データの画素密度を・・・変換し、画素密度変換後の拡大画像データを表示用画像データ記憶領域に展開する電子変倍処理手段」を有しており、上記「メモリ４８に記憶されている画像データから拡大表示範囲内に相当するデータ（拡大画像データ）を抽出」は、「メモリ４８に記憶されている画像データから拡大表示範囲内に相当するデータ（拡大画像データ）を選択」ということができ、「拡大画像データ」は、「メモリ４８に記憶されている画像データの一部の領域のデータ」ということができる。
　これらのことから、「拡大画像データ」は、「撮像素子より得られる画像信号に基づく撮影画像から選択された一部の領域」ということができる。
　さらに、引用発明の「抽出した拡大画像データの画素密度を・・・変換し、画素密度変換後の拡大画像データを表示用画像データ記憶領域に展開する」は、「選択した拡大画像データに対して、画素密度変換という演算処理を施し、拡大画像を生成する」ことであるということができ、上記「演算処理により拡大画像を生成する手段」は「電子ズーム手段」ということができるから、引用発明は「撮像素子より得られる画像信号に基づく撮影画像から選択された一部の領域に演算処理を施して拡大画像を生成する電子ズーム手段」を有しているということができる。
　以上まとめると、引用発明は「撮影モードの選択時に、前記撮像素子より得られる画像信号に基づく撮影画像から選択された一部の領域に演算処理を施して拡大画像を生成する電子ズーム手段」を有している点で本件補正発明と相違がない。
　もっとも、本件補正発明の「電子ズーム手段」は、撮影画像から選択された一部の領域が「撮影画像から選択された任意の点を中心とする一部の領域」であるのに対し、引用発明は、「中心位置は元の画像の中心位置と一致した状態で、拡大表示範囲の外縁に相当する位置を演算し、メモリ４８に記憶されている画像データから拡大表示範囲内に相当するデータ（拡大画像データ）を抽出（選択）し」ている点で相違する。
　
（エ）「拡大すべき前記一部の領域の範囲を示す電子ズーム枠を設定する電子ズーム枠設定手段」について
　引用発明は「元の画像データが表す画像に拡大表示範囲内と範囲外との境界（拡大表示範囲の外縁）を表す枠が合成されるように、前記画像データを変更する手段」を有しており、引用発明の「拡大表示範囲内」が、本件補正発明の「拡大すべき前記一部の領域の範囲」であることは明らかであり、引用発明の「拡大表示範囲内と範囲外との境界（拡大表示範囲の外縁）を表す枠」は、本件補正発明の「拡大すべき前記一部の領域の範囲を示す枠」ということができ、これを「電子ズーム枠」と称してもよいことも明らかである。
　そして、引用発明は、「枠が合成されるように、前記画像データを変更」しているから、画像に対して「電子ズーム枠」を合成しているということができる。
　上記「電子ズーム枠」は「拡大表示範囲内と範囲外との境界（拡大表示範囲の外縁）を表す枠」であるが、刊行物１の、
段落００４１の「また、画像撮影モードにおいて、レンズ１４の光学倍率が最大の状態で、操作スイッチ３２を介してズーム倍率の増大が更に指示された場合には、ディスプレイ２６に画像を表示している状態であれば、電子変倍処理による画像の拡大表示を行う必要があると判断し、ステップ１００の判定が肯定される。」、
段落００４４の「上記のようにしてステップ１００の判定が肯定されるとステップ１１０へ移行し、操作スイッチ３２が操作されることで設定又は変更された拡大表示パラメータ（画像の拡大率及び拡大表示範囲の中心位置）を取り込む。ステップ１１２では取り込んだ拡大表示パラメータに基づいて、メモリ４８に記憶されている画像データが表す画像上で、拡大表示範囲の外縁に相当する位置を演算する。ステップ１１４では、ステップ１１２の演算結果に基づいて、メモリ４８に記憶されている画像データから拡大表示範囲内に相当するデータ（拡大画像データ）を抽出する。」
の記載を参酌すると、撮影モード時において、ズーム倍率は操作者の操作により設定又は変更が可能であることは理解できる。
　すなわち、ズーム倍率が操作者の操作により設定可能であるから、引用発明は、該操作者の操作によりズーム倍率が設定されると、設定された拡大表示パラメータに基づき拡大表示範囲の外縁が決定されているということができ、「電子ズーム枠」は操作者の操作に基づき設定されるものであることが理解できる。
　してみると、引用発明は、電子ズーム枠を設定する設定手段を有しているということができるから、「拡大すべき前記一部の領域の範囲を示す電子ズーム枠を設定する電子ズーム枠設定手段」を有しているということができる。
　
（オ）「表示すべき表示画像を生成して出力する表示制御手段」について
　引用発明は「表示用画像データ記憶領域に展開された画像データがディスプレイに表示されるように転送する手段」を有している。
　引用発明のディスプレイに表示される画像が、本件補正発明の表示すべき表示画像に相当することは明らかである。
　引用発明では、画像データがディスプレイに表示されるように、表示用画像データ記憶領域に画像データが展開され（表示画像の生成）、ディスプレイに転送（表示画像の出力）されるといった、「表示のための制御」が行われているということができるから、「表示すべき表示画像を生成して出力する表示制御手段」を有しているということができる。
　
（カ）「前記表示制御手段の出力に基づいて前記表示画像を表示する表示手段」について
　引用発明は「転送する手段により転送された画像データを表示するディスプレイ」を有している。
　上記（オ）で検討したとおり、「転送」も表示制御手段の制御の一部であり、「ディスプレイに転送」するとは、「ディスプレイに出力」と対応するから、引用発明は「前記表示制御手段の出力に基づいて前記表示画像を表示する表示手段」を有しているということができる。
　
（キ）「前記表示画像は、前記撮影画像と、前記電子ズーム手段によって生成された前記拡大画像と、前記電子ズーム枠設定手段によって設定された前記電子ズーム枠とを含み、
　前記撮影モードの選択時であってレリーズボタンの操作前に、前記表示手段は、前記撮影画像および前記拡大画像をそれぞれ異なる表示領域に配置して同時に表示可能である」について
　引用発明は、
「表示される画像は、
（ａ）拡大された拡大画像、
（ｂ）画像全体
（ｃ）拡大画像として表示している範囲を明示する枠
のそれぞれが表示され、これら（（ａ）ないし（ｃ））の関係は
拡大画像とナビゲーション画像（画像全体を表しかつ拡大画像８０として表示している範囲を明示する枠８４が付加された画像）が重ならないように、ディスプレイ６の表示面に各画像を各々表示するものである」
構成を有している。
　引用発明の「拡大された拡大画像」、「画像全体」、「拡大画像として表示している範囲を明示する枠」が、それぞれ、本件補正発明の「電子ズーム手段によって生成された前記拡大画像」、「撮影画像」、「電子ズーム枠設定手段によって設定された前記電子ズーム枠」に対応することは、上記（ウ）、（エ）にて検討したとおりであり、また、撮影モードの選択時であることは、上記（ウ）にて検討したとおりである。
　そして、拡大画像とナビゲーション画像とが重ならないようにディスプレイの表示面に各画像を各々表示するということは、拡大画像と全体画像とを各々異なる表示領域に配置して同時に表示していることということができる。
　以上のことから、引用発明は「前記表示画像は、前記撮影画像と、前記電子ズーム手段によって生成された前記拡大画像と、前記電子ズーム枠設定手段によって設定された前記電子ズーム枠とを含み、
　前記撮影モードの選択時、前記表示手段は、前記撮影画像および前記拡大画像をそれぞれ異なる表示領域に配置して同時に表示可能である」ということができる。
　
　撮影モード時の表示についてさらに検討する。
　
　刊行物１には画像撮影モード時の表示について、引用発明として認定した構成が開示されているが、それが、「前記撮影モードの選択時であって
レリーズボタンの操作前
　しかしながら、撮影モードを選択すれば、レリーズボタン（シャッターボタンともいうことは技術常識である。）を操作して、画像を撮影することは、刊行物１の段落００３４に「また、シャッターボタン２２が操作されてシャッタースイッチ５６がオンされた等により、スロット２４に装填されたメモリカードへの画像データの格納が指示された場合、ＣＰＵ５４はメモリ４８に一時記憶されている画像データを読み出して圧縮伸張部５０へ転送する。これにより、画像データは圧縮伸張部５０で圧縮された後にメモリカードに格納される。」とあるように普通のことである。
　そして、段落００５０に「ユーザは、ディスプレイ２６に表示されたナビゲーション画像８２を参照することで、画像全体がどのような画像かを容易に認識できると共に、拡大画像８０として表示されている範囲を視覚的に容易に認識することができ、画像撮影モードであれば、例えば撮影する範囲が適正か否かを容易に判断することができ」とあるように、刊行物１における画像撮影モード時の表示は「（これから）撮影する範囲が適正か否かを容易に判断する」ための表示であることは明らかである。
　「（これから）撮影する範囲が適正か否かを容易に判断する」ための表示であるから、撮影する前、すなわち、レリーズボタンの操作前であることは明らかである。。
　してみると、上記刊行物１の記載をみれば、刊行物１における撮影モード時の表示が「前記撮影モードの選択時であって
レリーズボタンの操作前
　以上のとおりであるから、引用発明は「前記表示画像は、前記撮影画像と、前記電子ズーム手段によって生成された前記拡大画像と、前記電子ズーム枠設定手段によって設定された前記電子ズーム枠とを含み、
　前記撮影モードの選択時であってレリーズボタンの操作前に、前記表示手段は、前記撮影画像および前記拡大画像をそれぞれ異なる表示領域に配置して同時に表示可能である」構成を有しているということができる。
　
（ク）撮像装置
　引用発明のデジタルスチルカメラが撮像装置ということができることは、上記（ア）にて検討したとおりである。
　
オ．対比
一致点、相違点　
　
　以上の対比によれば、本件補正発明と引用発明とは、以下の一致点で一致し、相違点で相違する。
　
《一致点》
　被写体の光学的な画像信号を出力する撮像装置であって、
　前記被写体の光学的な像を撮像して、電気的な画像信号に変換する撮像素子と、
　撮影モードの選択時に、前記撮像素子より得られる画像信号に基づく撮影画像から選択された一部の領域に演算処理を施して拡大画像を生成する電子ズーム手段と、
　拡大すべき前記一部の領域の範囲を示す電子ズーム枠を設定する電子ズーム枠設定手段と、
　表示すべき表示画像を生成して出力する表示制御手段と、
　前記表示制御手段の出力に基づいて前記表示画像を表示する表示手段とを備え、
　前記表示画像は、前記撮影画像と、前記電子ズーム手段によって生成された前記拡大画像と、前記電子ズーム枠設定手段によって設定された前記電子ズーム枠とを含み、
　前記撮影モードの選択時であってレリーズボタンの操作前に、前記表示手段は、前記撮影画像および前記拡大画像をそれぞれ異なる表示領域に配置して同時に表示可能であることを特徴とする、撮像装置。
　
《相違点》
相違点１
　本件補正発明の「電子ズーム手段」は、撮影画像から選択された一部の領域が「撮影画像から選択された任意の点を中心とする一部の領域」であるのに対し、引用発明は、「中心位置は元の画像の中心位置と一致した状態で、拡大表示範囲の外縁に相当する位置を演算し、メモリ４８に記憶されている画像データから拡大表示範囲内に相当するデータ（拡大画像データ）を抽出（選択）し」ている点。
　
カ．判断
　上記相違点について検討する。
（ア）相違点１について
　刊行物１の（キ）の記載をみると、以下のように記載されている。
「また、画像撮影モードにおいて、レンズ１４の光学倍率が最大の状態で、操作スイッチ３２を介してズーム倍率の増大が更に指示された場合には、ディスプレイ２６に画像を表示している状態であれば、電子変倍処理による画像の拡大表示を行う必要があると判断し、ステップ１００の判定が肯定される。なお、画像撮影モードにおける電子変倍処理では、拡大表示範囲の中心位置は元の画像の中心位置と常に一致される。（段落００４１）
　一方、画像再生モードでは、操作スイッチ３２は画像表示倍率の切替え及び画像表示範囲の移動を指示するために用いられる。すなわち、単に上側／下側スイッチがオンオフされた場合は画像表示倍率の変更が指示されたことを意味し、画像表示倍率を増大させるときには上側スイッチがオンされ、画像表示倍率を減少させるときには下側スイッチがオンされる。また、図示しないボタンが押圧されている状態で上側／下側／右側／左側の何れかのスイッチがオンオフされた場合は画像表示範囲の変更が指示されたことを意味し、前記ボタンが押圧されている状態で画像表示範囲を移動させたい方向に対応するスイッチがオンされる。（段落００４２）
　画像再生モードにおいて、画像表示倍率の初期値は、画像データが表す画像全体がディスプレイ２６の全面に表示される倍率（すなわち最小倍率）とされているが、操作スイッチ３２を介して画像表示倍率の切替え（すなわち画像の拡大表示）が指示された場合、及び操作スイッチ３２を介して拡大表示範囲の移動が指示された場合には、電子変倍処理による画像の拡大表示を行う必要があると判断し、ステップ１００の判定が肯定される。なお、画像再生モードにおける電子変倍処理では、拡大表示範囲の中心位置は拡大表示範囲の移動指示に応じて変更設定される。（段落００４３）」
　
　すなわち、刊行物１記載のデジタルスチルカメラにおいて、引用発明として認定した、「画像撮影モード」における電子変倍処理では、拡大表示範囲の中心位置は元の画像の中心位置と常に一致されるのに対し、画像撮影モードとは異なる画像再生モードにおける電子変倍処理では、拡大表示範囲の中心位置は拡大表示範囲の移動指示に応じて任意の位置に変更設定される、というものである。
　そして、電子ズームによって拡大された画像が、拡大される前の画像（元画）のどのあたりかを確認できる電子カメラにおいて、撮影モードと再生モードのいずれの場合でも電子ズームの拡大範囲の中心位置を、操作によって任意の位置に移動させることができるようにしたものは、下記の刊行物２に記載されている。
　刊行物１のデジタルスチルカメラにおいて、画像撮影モードと画像再生モードとで拡大表示範囲の中心位置を、それぞれ「元の画像の中心位置と常に一致される」構成と「拡大表示範囲の移動指示に応じて任意の位置に変更設定される」構成とに異なるようにした理由は刊行物１には格別記載がないことも考慮すれば、電子カメラにおいて、撮影モードと再生モードとを有し、いずれの場合においても電子ズームの拡大範囲の中心位置を任意の位置に移動させることができる刊行物２に触れた当業者であれば、引用発明の「画像撮影モード」においても拡大範囲の中心位置を任意の位置に移動させる構成を採用しようとすることは容易に推考し得たことである。
　
刊行物２：特開２００４−７２２０７号公報
 　
キ．効果
　以上のように、上記相違点は、当業者が容易に想到し得たものと認められ、本願発明全体としてみても格別のものはなく、その作用効果も、上記構成の採用に伴って当然に予測される程度のものにすぎず、格別顕著なものがあるとは認められない。
　
ク．まとめ（独立特許要件）
　以上によれば、本件補正発明は、刊行物１および刊行物２に記載された発明に基づいて当業者が容易に発明をすることができたものであるから、特許法第２９条第２項の規定により、特許出願の際独立して特許を受けることができない。
　
　したがって、本件補正は、平成１８年法律第５５号改正附則第３条第１項によりなお従前の例とされる同法による改正前の特許法第１７条の２第５項において準用する同法第１２６条第５項の規定に適合しない。
 　
（４）むすび
　以上のとおり、本件補正は、平成１８年法律第５５号改正附則第３条第１項によりなお従前の例とされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。
　
第３　本願発明
　平成２１年１１月２６日付けの手続補正は上記のとおり却下されたので、本願の請求項１ないし１５に係る発明は、平成２１年６月１７日付け手続補正書により補正された特許請求の範囲の請求項１ないし１５に係る発明のとおりであるところ、そのうち、請求項１に係る発明（以下「本願発明」という）は、平成２１年６月１７日付け手続補正書により補正された特許請求の範囲の請求項１に記載された事項により特定される、以下のとおりのものである。
　
【請求項１】
　被写体の光学的な画像信号を出力する撮像装置であって、
　前記被写体の光学的な像を撮像して、電気的な画像信号に変換する撮像素子と、
　撮影モードの選択時に、前記撮像素子より得られる画像信号に基づく撮影画像から任意に選択された一部の領域に演算処理を施して拡大画像を生成する電子ズーム手段と、
　拡大すべき前記一部の領域の範囲を示す電子ズーム枠を設定する電子ズーム枠設定手段と、
　表示すべき表示画像を生成して出力する表示制御手段と、
　前記表示制御手段の出力に基づいて前記表示画像を表示する表示手段とを備え、
　前記表示画像は、前記撮影画像と、前記電子ズーム手段によって生成された前記拡大画像と、前記電子ズーム枠設定手段によって設定された前記電子ズーム枠とを含み、
　前記撮影モードの選択時であってレリーズボタンの操作前に、前記表示手段は、前記撮影画像および前記拡大画像をそれぞれ異なる表示領域に配置して同時に表示可能であることを特徴とする、撮像装置。
  　
第４　検討
１．刊行物に記載された発明
　刊行物１には、上記第２の２．（３）イ．の事項が記載されており、刊行物１に記載された発明として、上記第２の２．（３）ウ．（ク）の「引用発明」を認定することができる。
　
２．対比（本件補正発明においてした対比の援用）
　本願発明は、本件補正発明の「撮影モードの選択時に、前記撮像素子より得られる画像信号に基づく
撮影画像から選択された任意の点を中心とする一部の領域
撮影画像から任意に選択された一部の領域に
　したがって、本願発明と引用発明との対比は、該「撮影モードの選択時に、前記撮像素子より得られる画像信号に基づく
撮影画像から任意に選択された一部の領域に
　
３．「撮影モードの選択時に、前記撮像素子より得られる画像信号に基づく
撮影画像から任意に選択された一部の領域に
　上記第２の２．（３）ウ．（ク）で検討した「引用発明」は「画像撮影モードのときに、拡大表示範囲の中心位置は元の画像の中心位置と一致した状態で、拡大表示範囲の外縁に相当する位置を演算し、メモリ４８に記憶されている画像データから拡大表示範囲内に相当するデータ（拡大画像データ）を抽出し、抽出した拡大画像データの画素密度を拡大率及びディスプレイ２６の画素数に応じて変換し、画素密度変換後の拡大画像データを表示用画像データ記憶領域に展開する電子変倍処理手段」を有している。
　引用発明が「撮影モードの選択時に、前記撮像素子より得られる画像信号に基づく撮影画像から選択された一部の領域に演算処理を施して拡大画像を生成する電子ズーム手段」を有しているといえることは、上記第２の２．（３）エ．（ウ）で検討したとおりである。
　上記引用発明の「撮影画像から選択された一部の領域（拡大画像データの抽出）」についてさらに検討する。
　刊行物１の、
段落００４１の「また、画像撮影モードにおいて、レンズ１４の光学倍率が最大の状態で、操作スイッチ３２を介してズーム倍率の増大が更に指示された場合には、ディスプレイ２６に画像を表示している状態であれば、電子変倍処理による画像の拡大表示を行う必要があると判断し、ステップ１００の判定が肯定される。」、
段落００４４の「上記のようにしてステップ１００の判定が肯定されるとステップ１１０へ移行し、操作スイッチ３２が操作されることで設定又は変更された拡大表示パラメータ（画像の拡大率及び拡大表示範囲の中心位置）を取り込む。ステップ１１２では取り込んだ拡大表示パラメータに基づいて、メモリ４８に記憶されている画像データが表す画像上で、拡大表示範囲の外縁に相当する位置を演算する。ステップ１１４では、ステップ１１２の演算結果に基づいて、メモリ４８に記憶されている画像データから拡大表示範囲内に相当するデータ（拡大画像データ）を抽出する。」
の記載を参酌すると、撮影モード時において、ズーム倍率は操作者の操作により設定又は変更が可能であることは理解できるから、ズーム倍率は任意に変更可能であるといえる。
　そして、ズーム倍率が任意に変わるとその値（拡大表示パラメータ）に基づいて 、「メモリ４８に記憶されている画像データが表す画像上で、拡大表示範囲の外縁に相当する位置を演算」されることから、上記外縁に相当する位置は任意に変化し、「（任意に変化する）演算結果に基づいて、メモリ４８に記憶されている画像データから拡大表示範囲内に相当するデータ（拡大画像データ）を抽出」するのであるから、「拡大画像データの抽出」は（操作者の操作に基づいて）任意に変更されるものであるといえる。
　してみると、引用発明の「撮影画像から選択された一部の領域」は任意に選択されているということができる。
　以上のことから、引用発明は「撮影モードの選択時に、前記撮像素子より得られる画像信号に基づく
撮影画像から任意に選択された一部の領域に
　
４．一致点
　以上（上記２．および３．）の対比によれば、本願発明と引用発明とは以下の一致点で一致する。
　
《一致点》
　被写体の光学的な画像信号を出力する撮像装置であって、
　前記被写体の光学的な像を撮像して、電気的な画像信号に変換する撮像素子と、
　撮影モードの選択時に、前記撮像素子より得られる画像信号に基づく撮影画像から任意に選択された一部の領域に演算処理を施して拡大画像を生成する電子ズーム手段と、
　拡大すべき前記一部の領域の範囲を示す電子ズーム枠を設定する電子ズーム枠設定手段と、
　表示すべき表示画像を生成して出力する表示制御手段と、
　前記表示制御手段の出力に基づいて前記表示画像を表示する表示手段とを備え、
　前記表示画像は、前記撮影画像と、前記電子ズーム手段によって生成された前記拡大画像と、前記電子ズーム枠設定手段によって設定された前記電子ズーム枠とを含み、
　前記撮影モードの選択時であってレリーズボタンの操作前に、前記表示手段は、前記撮影画像および前記拡大画像をそれぞれ異なる表示領域に配置して同時に表示可能であることを特徴とする、撮像装置。
　
５．まとめ
　したがって、本願発明は、刊行物１に記載された発明である。
　
第５　むすび
　以上のとおり、本願の請求項１に係る発明は、刊行物１に記載された発明であるから、特許法第２９条第１項第３号に該当し、特許を受けることができない。
　したがって、本願は、残る請求項に係る発明について検討するまでもなく、拒絶をすべきものである。
　よって、結論のとおり審決する。